(57)【要約】【課題】装着対象（取付対象）を傷つけることなく、表示体を簡単に取り付けることができるようにした表示体、表示体の装着及び取り外し方法、表示体装着具及び表示体取付セットを提供する。【解決手段】表示体１は、側板１１、連結板１２、折返し板１３及び掛止片１４，１５を備えている。側板１１は表示部１１０を有している。側板１１と折返し板１３は、連結板１２を間に挟んだ状態で向かい合わせにまたは向かい合う方向に配置できると共に連結板１２に対して可動するように設けてある。連結板１２は、側板１１とのなす角が大きくなる方向に復帰あるいは拡開するように形成されている。掛止片１４，１５は、連結板１２から突出して設けてある。【選択図】図１
2007101722.tif 000002
【特許請求の範囲】
【請求項１】
表示部材(11)と掛止部材(12,13,14,15)とを有しており、
該掛止部材(12,13,14,15)は、
装着時には、隙間(S)に挿入されることで変形しながら該隙間(S)を通過した後、開口空間で復帰あるいは拡開して被掛止物(25)に掛止するように構成されており、
取り外し時には、上記挿入方向に移動することで上記被掛止物(25)に対する掛止が解除され、更に挿入方向と反対方向に引き抜かれることで上記被掛止物(25)に掛止することなく変形しながら上記隙間(S)を通過するように構成されていることを特徴とする、
表示体。
【請求項２】
表示体(1)の装着及び取り外し方法であって、
装着時には、表示体(1)の掛止部材(12,13,14,15)を隙間(S)に挿入することで、該掛止部材(12,13,14,15)を変形させながら該隙間(S)を通過させた後、開口空間で復帰あるいは拡開させて被掛止物(25)に掛止させ、
取り外し時には、上記掛止部材(12,13,14,15)を上記挿入方向に移動させることで上記被掛止物(25)に対する掛止を解除し、更に挿入方向と反対方向に引き抜くことで上記掛止部材(12,13,14,15)を上記被掛止物(25)に掛止させることなく上記隙間(S)を通過させることを特徴とする、
表示体の装着及び取り外し方法。
【請求項３】
側板(11)、連結板(12)、折返し板(13)及び掛止片(14,15)を備え、上記側板(11)は表示部(110)を有しており、
上記側板(11)と折返し板(13)は、連結板(12)を間に挟んだ状態で向かい合わせにまたは向かい合う方向に配置できると共に連結板(12)に対して可動するように設けてあり、
上記連結板(12)は、側板(11)とのなす角(θ)が大きくなる方向に復帰あるいは拡開するように形成されており、
上記掛止片(14,15)は、連結板(12)または折返し板(13)から突出して設けてあると共に、表示体(1)の装着時には装着対象に設けてある被掛止物(25)に掛止され、表示体(1)の取り外し時には、側板(11)とのなす角(θ)が大きくなる方向に連結板(12)が復帰あるいは拡開することに伴い上記被掛止物(25)に対する掛止が解除されるように構成されていることを特徴とする、
表示体。
【請求項４】
一枚のシート状または薄板状の材料で形成された表示体であって、
側板(11)、連結板(12)、折返し板(13)及び掛止片(14,15)を備え、上記側板(11)は表示部(110)を有しており、
上記側板(11)と折返し板(13)は、連結板(12)を間に挟んだ状態で向かい合わせにまたは向かい合う方向に配置できるように、連結板(12)の一端側に第一折目(101)を介して側板(11)が折り曲げ可能に連設され、更に連結板(12)の他端側に第二折目(102)を介して上記折返し板(13)が折り曲げ可能に連設されており、
上記連結板(12)は、装着対象に設けてある隙間(S)よりも幅広に形成されていると共に、側板(11)とのなす角(θ)が大きくなる方向に復帰あるいは拡開するように形成されており、
上記掛止片(14,15)は、第二折目(102)から折返し板(13)にかけて形成された切込部(104,105)によって形成されていると共に、上記連結板(12)に対する折返し板(13)の角度(α)に関係なく、連結板(12)と本質的に面一の状態で折返し板(13)側へ突出しているか、あるいは連結板(12)に対して所要の角度で折返し板(13)側へ突出していることを特徴とする、
表示体。
【請求項５】
表示体(1)(1A)(1B)(1C)(1D)は、建物の出入口を開閉する閉鎖体(200)と該閉鎖体(200)の収容部材(21)を備えた閉鎖装置(2)に装着でき、該開閉体(200)と収容ボックス(210)の開口部(23)の間に形成された隙間(S)に挿入して使用できるように構成されていることを特徴とする、
請求項１ないし４のいずれかに記載の表示体。
【請求項６】
折返し板(13)の先部側に、引掛片(14,15)が突出している側へ突出した突出板(17)(17d)が設けてあることを特徴とする、
請求項１ないし５のいずれかに記載の表示体。
【請求項７】
表示体取付部材(11e)と掛止部材(12,13,14,15)とを有しており、
上記表示体取付部材(11e)には、表示体(6)を取り付けることができるように構成されており、
上記掛止部材(12,13,14,15)は、
装着時には、隙間(S)に挿入されることで変形しながら該隙間(S)を通過した後、開口空間で復帰あるいは拡開して被掛止物(25)に掛止するように構成されており、
取り外し時には、上記挿入方向に移動することで上記被掛止物(25)に対する掛止が解除され、更に挿入方向と反対方向に引き抜かれることで上記被掛止物(25)に掛止することなく変形しながら上記隙間(S)を通過するように構成されていることを特徴とする、
表示体装着具。
【請求項８】
側板(11e)、連結板(12)、折返し板(13)及び掛止片(14,15)を備え、上記側板(11e)は表示部(110)を有しており、該側板(11e)または／及び折返し板(13)に表示体(6)を取り付けることができるように構成されており、
上記側板(11e)と折返し板(13)は、連結板(12)を間に挟んだ状態で向かい合わせにまたは向かい合う方向に配置できると共に連結板(12)に対して可動するように設けてあり、
上記連結板(12)は、側板(11e)とのなす角(θ)が大きくなる方向に復帰あるいは拡開するように形成されており、
上記掛止片(14,15)は、連結板(12)または折返し板(13)から突出して設けてあると共に、表示体(6)の装着時には装着対象に設けてある被掛止物(25)に掛止され、表示体(6)の取り外し時には、側板(11e)とのなす角(θ)が大きくなる方向に連結板(12)が復帰あるいは拡開することに伴って上記被掛止物(25)に対する掛止が解除されるように構成されていることを特徴とする、
表示体装着具。
【請求項９】
一枚のシート状または薄板状の材料で形成された表示体装着具であって、
側板(11e)、連結板(12)、折返し板(13)及び掛止片(14,15)を備え、上記側板(11e)は表示部(110)を有しており、該側板(11e)または／及び折返し板(13)に表示体(6)を取り付けることができるように構成されており、
上記側板(11e)と折返し板(13)は、連結板(12)を間に挟んだ状態で向かい合わせにまたは向かい合う方向に配置できるように、連結板(12)の一端側に第一折目(101)を介して側板(11e)が折り曲げ可能に連設され、更に連結板(12)の他端側に第二折目(102)を介して上記折返し板(13)が折り曲げ可能に連設されており、
上記連結板(12)は、装着対象に設けてある隙間(S)よりも幅広に形成されていると共に、側板(11e)とのなす角(θ)が大きくなる方向に拡開可能に形成されており、
上記掛止片(14,15)は、第二折目(102)から折返し板(13)にかけて形成された切込部(104,105)によって形成されていると共に、上記連結板(12)に対する折返し板(13)の角度(α)に関係なく、連結板(12)と本質的に面一の状態で折返し板(13)側へ突出しているか、あるいは連結板(12)に対して所要の角度で折返し板(13)側へ突出していることを特徴とする、
表示体装着具。
【請求項１０】
折返し板の先部側には、引掛片が突出している側に突出した突出板が設けてあることを特徴とする、
請求項８または９記載の表示体装着具。
【請求項１１】
請求項１ないし６のいずれかに記載の表示体(1)(1A)(1B)(1C)(1D)と、
装着対象との間に表示体(1)(1A)(1B)(1C)(1D)を取り付けることができる隙間(S1)、または装着対象に該表示体(1)(1A)(1B)(1C)(1D)を取り付けることができる隙間(S2)を形成することができる表示体受具(8)(8A)と、
を備えていることを特徴とする、
表示体取付セット。
【請求項１２】
請求項７または１０のいずれかに記載の表示体装着具(1E)(1G)と、
装着対象との間に表示体(1)(1A)(1B)(1C)(1D)を取り付けることができる隙間(S1)、または装着対象に該表示体(1)(1A)(1B)(1C)(1D)を取り付けることができる隙間(S2)を形成することができる表示体受具(8)(8A)と、
を備えていることを特徴とする、
表示体取付セット。
【発明の詳細な説明】
【技術分野】
【０００１】
本発明は、表示体、表示体の装着及び取り外し方法、表示体装着具及び表示体取付セットに関する。
更に詳しくは、装着対象（取付対象）を傷つけることなく、表示体を簡単に取り付けることができるようにしたものに関する。
【背景技術】
【０００２】
例えば空き店舗のシャッターには、新たな入居者を募集するために「テナント募集中」等と記されたプラスチックシート製の表示体が貼られていることが多い。表示体の貼り付けには、表示体の裏面に粘着剤が塗布されている場合にはその粘着面を利用したり、そのような粘着面を有さない場合は、表示体の上から粘着テープで貼り付けたりする。また、主に個人商店などで「休業のお知らせ」をするときなどにも、油性ペンで書いた紙を粘着テープで直接シャッターに貼り付ける場合もある。
【０００３】
しかしながら、このように粘着剤や粘着テープを使用すると、表示体を取り外した後も、粘着剤が残ってシャッターの表面が汚れてしまう。また残った粘着剤を溶剤等で落とせば、シャッター表面を傷めてしまうこともあり、好ましくない。
【０００４】
特許文献１には、鉤型のレール状体で形成された係止具及び支持具を、上下向かい合うようにしてシャッター表面にビス止めし、その間に表示板を差し入れるようにした表示板の取付具が提案されている。
【特許文献１】特開平１１−１３３８６７号公報（第６図）
【発明の開示】
【発明が解決しようとする課題】
【０００５】
しかしながら、特許文献１に記載のものでは次のような課題があった。
即ち、特許文献１に記載のものは、取付具をシャッター表面のスラットにビス止めする必要があるため、シャッターに傷が入るだけではなく、シャッターを巻き上げるときにはその都度、ドライバーでネジを取り外さなくてはならず、大変面倒である。
【０００６】
そこで、シャッターを傷つけないように、磁石の磁力を利用することも考えられるが、磁石は簡単に外れてしまうので、子供のイタズラ等によって盗難にあう可能性も高い。
また、磁石の場合、経年劣化によってシャッター面に錆が発生している場合などは使用できないという欠点もある。
【０００７】
（本発明の目的）
そこで本発明の目的は、装着対象（取付対象）を傷つけることなく、表示体を簡単に取り付けることができるようにした表示体、表示体の装着及び取り外し方法、表示体装着具及び表示体取付セットを提供することにある。
【０００８】
本発明の他の目的は、取り付けた後は、適切な取り外し手順をとらないと、装着対象から表示板を取り外すことができないようにした表示体、表示体の装着及び取り外し方法、表示体装着具及び表示体取付セットを提供することにある。
その他の本発明の目的は、以下の説明によって明らかになるであろう。
【課題を解決するための手段】
【０００９】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００１０】
第１の発明にあっては、
表示部材(11)と掛止部材(12,13,14,15)とを有しており、
該掛止部材(12,13,14,15)は、
装着時には、隙間(S)に挿入されることで変形しながら該隙間(S)を通過した後、開口空間で復帰あるいは拡開して被掛止物(25)に掛止するように構成されており、
取り外し時には、上記挿入方向に移動することで上記被掛止物(25)に対する掛止が解除され、更に挿入方向と反対方向に引き抜かれることで上記被掛止物(25)に掛止することなく変形しながら上記隙間(S)を通過するように構成されていることを特徴とする、
表示体である。
【００１１】
第２の発明にあっては、
表示体(1)の装着及び取り外し方法であって、
装着時には、表示体(1)の掛止部材(12,13,14,15)を隙間(S)に挿入することで、該掛止部材(12,13,14,15)を変形させながら該隙間(S)を通過させた後、開口空間で復帰あるいは拡開させて被掛止物(25)に掛止させ、
取り外し時には、上記掛止部材(12,13,14,15)を上記挿入方向に移動させることで上記被掛止物(25)に対する掛止を解除し、更に挿入方向と反対方向に引き抜くことで上記掛止部材(12,13,14,15)を上記被掛止物(25)に掛止させることなく上記隙間(S)を通過させることを特徴とする、
表示体の装着及び取り外し方法である。
【００１２】
第３の発明にあっては、
側板(11)、連結板(12)、折返し板(13)及び掛止片(14,15)を備え、上記側板(11)は表示部(110)を有しており、
上記側板(11)と折返し板(13)は、連結板(12)を間に挟んだ状態で向かい合わせにまたは向かい合う方向に配置できると共に連結板(12)に対して可動するように設けてあり、
上記連結板(12)は、側板(11)とのなす角(θ)が大きくなる方向に復帰あるいは拡開するように形成されており、
上記掛止片(14,15)は、連結板(12)または折返し板(13)から突出して設けてあると共に、表示体(1)の装着時には装着対象に設けてある被掛止物(25)に掛止され、表示体(1)の取り外し時には、側板(11)とのなす角(θ)が大きくなる方向に連結板(12)が復帰あるいは拡開することに伴い上記被掛止物(25)に対する掛止が解除されるように構成されていることを特徴とする、
表示体である。
【００１３】
第４の発明にあっては、
一枚のシート状または薄板状の材料で形成された表示体であって、
側板(11)、連結板(12)、折返し板(13)及び掛止片(14,15)を備え、上記側板(11)は表示部(110)を有しており、
上記側板(11)と折返し板(13)は、連結板(12)を間に挟んだ状態で向かい合わせにまたは向かい合う方向に配置できるように、連結板(12)の一端側に第一折目(101)を介して側板(11)が折り曲げ可能に連設され、更に連結板(12)の他端側に第二折目(102)を介して上記折返し板(13)が折り曲げ可能に連設されており、
上記連結板(12)は、装着対象に設けてある隙間(S)よりも幅広に形成されていると共に、側板(11)とのなす角(θ)が大きくなる方向に復帰あるいは拡開するように形成されており、
上記掛止片(14,15)は、第二折目(102)から折返し板(13)にかけて形成された切込部(104,105)によって形成されていると共に、上記連結板(12)に対する折返し板(13)の角度(α)に関係なく、連結板(12)と本質的に面一の状態で折返し板(13)側へ突出しているか、あるいは連結板(12)に対して所要の角度で折返し板(13)側へ突出していることを特徴とする、
表示体である。
【００１４】
第５の発明にあっては、
表示体(1)(1A)(1B)(1C)(1D)は、建物の出入口を開閉する閉鎖体(200)と該閉鎖体(200)の収容部材(21)を備えた閉鎖装置(2)に装着でき、該開閉体(200)と収容ボックス(210)の開口部(23)の間に形成された隙間(S)に挿入して使用できるように構成されていることを特徴とする、
第１ないし第４のいずれかの発明に係る表示体である。
【００１５】
第６の発明にあっては、
折返し板(13)の先部側に、引掛片(14,15)が突出している側へ突出した突出板(17)(17d)が設けてあることを特徴とする、
第１ないし第５のいずれかの発明に係る表示体である。
【００１６】
第７の発明にあっては、
表示体取付部材(110)と掛止部材(12,13,14,15)とを有しており、
上記表示体取付部材(110)には、表示体(6)を取り付けることができるように構成されており、
上記掛止部材(12,13,14,15)は、
装着時には、隙間(S)に挿入されることで変形しながら該隙間(S)を通過した後、開口空間で復帰あるいは拡開して被掛止物(25)に掛止するように構成されており、
取り外し時には、上記挿入方向に移動することで上記被掛止物(25)に対する掛止が解除され、更に挿入方向と反対方向に引き抜かれることで上記被掛止物(25)に掛止することなく変形しながら上記隙間(S)を通過するように構成されていることを特徴とする、
表示体装着具である。
【００１７】
第８の発明にあっては、
側板(11e)、連結板(12)、折返し板(13)及び掛止片(14,15)を備え、上記側板(11e)は表示部(110)を有しており、該側板(11e)または／及び折返し板(13)に表示体(6)を取り付けることができるように構成されており、
上記側板(11e)と折返し板(13)は、連結板(12)を間に挟んだ状態で向かい合わせにまたは向かい合う方向に配置できると共に連結板(12)に対して可動するように設けてあり、
上記連結板(12)は、側板(11e)とのなす角(θ)が大きくなる方向に復帰あるいは拡開するように形成されており、
上記掛止片(14,15)は、連結板(12)または折返し板(13)から突出して設けてあると共に、表示体(6)の装着時には装着対象に設けてある被掛止物(25)に掛止され、表示体(6)の取り外し時には、側板(11)とのなす角(θ)が大きくなる方向に連結板(12)が復帰あるいは拡開することに伴って上記被掛止物(25)に対する掛止が解除されるように構成されていることを特徴とする、
表示体装着具である。
【００１８】
第９の発明にあっては、
一枚のシート状または薄板状の材料で形成された表示体装着具であって、
側板(11e)、連結板(12)、折返し板(13)及び掛止片(14,15)を備え、上記側板(11e)は表示部(110)を有しており、該側板(11e)または／及び折返し板(13)に表示体(6)を取り付けることができるように構成されており、
上記側板(11e)と折返し板(13)は、連結板(12)を間に挟んだ状態で向かい合わせにまたは向かい合う方向に配置できるように、連結板(12)の一端側に第一折目(101)を介して側板(11e)が折り曲げ可能に連設され、更に連結板(12)の他端側に第二折目(102)を介して上記折返し板(13)が折り曲げ可能に連設されており、
上記連結板(12)は、装着対象に設けてある隙間(S)よりも幅広に形成されていると共に、側板(11e)とのなす角(θ)が大きくなる方向に拡開可能に形成されており、
上記掛止片(14,15)は、第二折目(102)から折返し板(13)にかけて形成された切込部(104,105)によって形成されていると共に、上記連結板(12)に対する折返し板(13)の角度(α)に関係なく、連結板(12)と本質的に面一の状態で折返し板(13)側へ突出しているか、あるいは連結板(12)に対して所要の角度で折返し板(13)側へ突出していることを特徴とする、
表示体装着具である。
【００１９】
第１０の発明にあっては、
折返し板の先部側には、引掛片が突出している側に突出した突出板が設けてあることを特徴とする、
第８または第９の発明に係る表示体装着具である。
【００２０】
第１１の発明にあっては、
第１ないし第６のいずれかの発明に係る表示体(1)(1A)(1B)(1C)(1D)と、
装着対象との間に表示体(1)(1A)(1B)(1C)(1D)を取り付けることができる隙間(S1)、または装着対象に該表示体(1)(1A)(1B)(1C)(1D)を取り付けることができる隙間(S2)を形成することができる表示体受具(8)(8A)と、
を備えていることを特徴とする、
表示体取付セットである。
【００２１】
第１２の発明にあっては、
第７ないし第１０のいずれかの発明に係る表示体装着具(1E)(1G)と、
装着対象との間に表示体(1)(1A)(1B)(1C)(1D)を取り付けることができる隙間(S1)、または装着対象に該表示体(1)(1A)(1B)(1C)(1D)を取り付けることができる隙間(S2)を形成することができる表示体受具(8)(8A)と、
を備えていることを特徴とする、
表示体取付セットである。
【００２２】
側板(11)と折返し板(13)が連結板(12)を間に挟んだ状態で向かい合わせにまたは向かい合う方向に配置されているものにおいて、側板(11)に対し、折返し板(13)は平行または本質的に平行であっても良く、また所要の角度で傾斜していても良い。
【００２３】
シート状または薄板状の材料としては、例えば厚紙等の紙製材料やプラスチック製材料等を挙げることができる。
【００２４】
（作  用）
本発明に係る表示体(1)は、次のように作用する。
表示体(1)の装着時には、まず表示体(1)の掛止部材(100)を隙間(S)に挿入する。そして、掛止部材(12,13,14,15)を変形させながら上記隙間(S)を通過させた後、開口空間で復帰あるいは拡開させて被掛止物(25)に掛止させる。
【００２５】
一方、表示体(1)の取り外し時には、上記掛止部材(12,13,14,15)を上記挿入方向に移動することで上記被掛止物(25)に対する掛止を解除し、更に挿入方向と反対方向に引き抜くことで上記掛止部材(12,13,14,15)が上記被掛止物(25)に掛止することなく変形しながら上記隙間(S)を通過させる。
【００２６】
また、表示体(1)が側板(11)、連結板(12)、折返し板(13)及び掛止片(14,15)を備え、上記側板(11)が表示部(110)を有しているものでは、次のように作用する。
なお、以下に示す装着及び取り外しの手順は一つの例を示しており、特にこの手順に限定するものではない。
【００２７】
(1) 表示体の取り付け方
例えば表示体(1)を構成する側板(11)の基部側を握る。そして、表示体(1)の連結板(12)側を装着対象(2)（取付対象）に設けてある所要の隙間(S1)に差し入れていく（挿入していく）。そうすると、連結板(12)と掛止片(14,15)が隙間(S)を通って開口空間へ抜け出る。
【００２８】
そして、連結板(12)が掛止片(14,15)と共に開口空間に抜けると、側板(11)とのなす角(θ)が大きくなる方向に連結板(12)が掛止片(14,15)と共に拡開する。そうして、掛止片(14,15)が装着対象に設けてある被掛止物(25)に掛止される。これにより、表示体(1)の装着が完了する。このように、装着対象に形成された隙間(S)に単に表示体(1)を差し入れるだけで、装着対象を傷つけることなく、表示体(1)を簡単に取り付けることができる。
【００２９】
また装着後は、側板(11)を隙間(S)の入口側に単に引っ張って表示体(1)を外そうとしても、以下のようにして、被引掛部(250)に対する掛止片(14,15)の掛止が適切に解除されない限り、表示体(1)を隙間(S)から取り外すことはできない。
【００３０】
(2) 表示体の取り外し方
取り付け時と同様に、まず、例えば表示体(1)を構成する側板(11)の基部側を握る。そして、取り付け完了の状態から、隙間(S)に挟まった状態の折返し板(13)が隙間(S)の奥へ抜け出るまで、表示体(1)を奥へ差し入れる。そうすると、連結板(12)が側板(11)とのなす角(θ)が大きくなる方向に掛止片(14,15)及び折返し板(13)と共に拡がる。
【００３１】
次に、側板(11)を隙間(S)の入口側に引っ張れば、折返し板(13)が被掛止物(25)に当たる。そして、更に側板(11)を下方に引っ張り続ければ、折返し板(13)が連結板(12)及び掛止片(14,15)と共に側板(11)とのなす角が拡がる方向に移動し、その結果、被掛止物(25)に対する掛止片(14,15)の掛止が解除され、表示体(1)を取り外せるようになる。
【００３２】
このように、表示体(1)を取り外す際は、側板(11)を単に引っ張るのではなく、一旦、折返し板(13)が隙間(S)の奥に抜け出るまで側板(11)を差し入れ、被掛止物(25)に対する掛止片(14,15)の掛止を解除した後で、改めて側板(11)を引っ張れば良い。このような適切な取り外し手順をとれば、表示体(1)を傷めることなく、容易に且つ確実に装着対象(2)から表示体(1)を取り外すことができる。
【００３３】
表示体(1)が一枚のシート状または薄板状の材料で形成され、掛止片(14,15)が第二折目(102)から折返し板(13)にかけて形成された切込部(104,105)によって形成されているものは、表示体(1)を同一のシート状または薄板状の材料で形成できるので、比較的容易に製作できる。また運搬や保管等には、表示体(1)を多数重ねても厚みが出にくい。
【００３４】
折返し板(13)の先部側に、掛止片(14,15)が突出している側へ突出した突出板(17)(17d)が設けてあるものは、突出板(17)(17d)が設けてあることで、上記した表示体の取り外し時に折返し板(13)が被掛止物(25)に当たりやすくなっている。よって、側板(11)とのなす角(θ)が大きくなる方向に連結板(12)が復帰あるいは拡開しなくなった場合でも、折返し板(13)は被掛止物(25)に当たりやすいので、掛止片(14,15)の解除が可能である。したがって、適切な取り外し手順により、装着対象(2)から表示体(1)を取り外すことができる。
【００３５】
本発明に係る表示体装着具の装着対象(2)に対する取り付け方、取り外し方は、上記した表示体(1)と同じか大体同じであるため、説明を省略する。また、表示体装着具を使用する場合は、側板(11)または／及び折返し板(13)に表示体(1)を取り付ければ良い。
【００３６】
本発明に係る表示体取付セットによれば、装着対象に表示体受具(8)(8A)を取り付けることにより、表示体(1)(1A)(1B)(1C)(1D)または表示体装着具(1E)(1G)を装着対象に取り付けることができる隙間(S1)(S2)を形成することができる。このように、表示体受具(8)(8A)を使用することにより、単なる平坦な壁や柱といった表示体(1)(1A)(1B)(1C)(1D)または表示体装着具(1E)(1G)を差し入れる隙間がない所にも、表示体(1)(1A)(1B)(1C)(1D)または表示体装着具(1E)(1G)を取り付けることができる。
【発明の効果】
【００３７】
本発明は上記構成を備え、次の効果を有する。
（ａ）本発明に係る表示体と表示体の装着及び取り外し方法によれば、装着対象に形成された隙間に単に表示体を差し入れるだけで、装着対象を傷つけることなく、表示体を簡単に取り付けることができる。
【００３８】
（ｂ）また本発明に係る表示体と表示体の装着及び取り外し方法によれば、取り付けた後は、適切な取り外し手順をとらないと、装着対象から表示体を取り外すことができない。よって、子供のイタズラ等によって盗難にあう可能性も低い。
【００３９】
（ｃ）表示体装着具が一枚のシート状または薄板状の材料で形成され、掛止片が第二折目から折返し板にかけて形成された切込部によって形成されているものは、表示体を同一のシート状または薄板状の材料で形成できるので、比較的容易に製作できる。また、多数重ねても厚みが出にくいので、運搬や保管等の取扱いも便利である。
【００４０】
（ｄ）折返し板の先部側に、掛止片が突出している側へ突出した突出板が設けてあるものは、側板とのなす角が大きくなる方向に連結板が復帰あるいは拡開しなくなった場合でもでも、適切な取り外し手順により、装着対象から表示体を取り外すことができる。
【００４１】
（ｅ）本発明に係る表示体装着具によれば、表示体装着具に表示体を取り付けることができ、上記した表示体と同様な効果が得られる。
【００４２】
（ｆ）本発明に係る表示体取付セットによれば、単なる平坦な壁や柱といった表示体または表示体装着具を差し入れる隙間がない所にも、表示体または表示体装着具を取り付けることができる。
【発明を実施するための最良の形態】
【００４３】
以下、本発明を実施例により説明するが、本発明はこれらに限定されるものではない。
【００４４】
本発明を図面に示した実施例に基づき更に詳細に説明する。
【実施例１】
【００４５】
図１ないし図５は、本発明に係る表示体の第一の実施例を示す説明図である。
図１は、表示体の斜視説明図、
図２は、表示体を展開した状態を示す平面視説明図、
図３は、表示体をシャッター装置に取り付けた状態を示す正面視説明図、
図４は、シャッター装置を構成する収容ボックスを縦断面して、シャッター装置に対する表示体の取り付け状態を示した側面視拡大説明図、
図５は、シャッター装置と表示体の取り付け構造を説明するための図４の部分拡大説明図である。
【００４６】
なお、図４では、紙面左側が屋内側（後述するシャッターカーテンの背面側）となっており、表示体１は図１でI−I部分に対応する断面を表している。
また、図４とは相違して、図５では表示体１を断面でなく、側面から見た状態で表している。
【００４７】
図１に示す表示体１は、図３及び図４に示すように、装着対象（取付対象）である例えばシャッター装置２に形成された所要の隙間Ｓに差し入れて取り付けることができる。なお、表示体１を取り付けることができる隙間を有するものであれば、装着対象はシャッター装置２に限定するものではない。
【００４８】
表示体１を詳細に説明する前に、まず、装着対象物であるシャッター装置２の概略について説明する。図３及び図４を参照する。
【００４９】
図３に示す閉鎖装置であるシャッター装置２は、出入口を昇降開閉する閉鎖体であるシャッターカーテン２００を備えている。そして、シャッター装置２はシャッターカーテン２００を左右両側のガイドレール２１，２１に沿って昇降させることで、建物の出入口を開閉する水平引きのシャッター装置である。シャッター装置２は、シャッターカーテン２００を出入口の上方に収容する収容部材である収容ボックス２１０を備えている。
【００５０】
シャッターカーテン（スラットカーテンとも称される）２００は、通常、複数のスラットを連結して形成されている。シャッターカーテン２００は、図４に示すように、収容ボックス２１０内の巻取用の軸である巻き胴２２（ドラムとも称される）に巻き上げられて収容される。収容ボックス２１０には、シャッターカーテン２００を出し入れする細長状の開口部である出し入れ口２３が形成されている。
【００５１】
そして、出し入れ口２３を閉じたシャッターカーテン２００と、収容ボックス２１０の出し入れ口２３との間に形成された所要の隙間Ｓ（以下、「シャッター隙間Ｓ」という）に表示体１を差し入れて取り付ける。
【００５２】
通常、図４に示すように、収容ボックス２１０は、細長い棒状体であるフレーム部材（チャンネル材）２４，２５，２６，２７，２８で基本的な骨格が構成されている。このフレーム部材２４，２５，２６，２７，２８に金属製等の側板２９を取り付けることで、箱状の全体構造が形成される。図４で符号２９１は、収容ボックス２１０を建物の壁面等に固定するための取付部材を示している。
【００５３】
本実施例では、フレーム部材２４，２５，２６，２７，２８の断面形状が略「コ」状または鉤形状に形成されている。このフレーム部材２４，２５，２６，２７，２８は、収容ボックス２１０を断面した際の四隅部分と、出し入れ口２３を両側から挟むような位置（この位置のフレーム部材を符号２４，２５で示す）に配置されている。表示体１を出し入れ口２３に差し入れた際に、出し入れ口２３の屋外側に位置する被掛止物であるフレーム部材２５の被掛止部（被引掛部）２５０に表示体１を構成する後述の引掛部である掛止片１４，１５が引っ掛かるようになっている。
【００５４】
このようにして（図３参照）、出入口を閉じたシャッターカーテン２００の上部側に表示体１を取り付けることができる。よって、例えば空き店などで新たな入居者を募集するために「テナント募集中」などと表示できる表示体として好適に使用できる。
【００５５】
なお、フレーム部材２４，２５，２６，２７，２８の断面形状は、シャッター装置２の製造メーカーによって異なり、上記した略「コ」状以外に、断面方形状や断面Ｃ形状（図４に示すフレーム部材を外向きに向けたような形状）等があるが、図１に示す表示体１はこれらどのシャッター装置２にも取り付けることができる。
【００５６】
以下、表示体１の各構成部分について、順を追って詳しく説明する。
表示体１は、展開状態である図２に示すように、一枚のシート状または薄板状の材料で方形状（本実施例では正方形）で形成されている。シート状または薄板状の材料としては、例えば厚紙等の紙製材料やプラスチック製材料等を挙げることができる。なお、紙製材料を使用した場合は、表面に防水性のシートまたはフィルムを貼り合わせたものや、表面に薬品を塗布または散布して防水処理を施したものを採用することができる。
【００５７】
本実施例では、展開状態の表示体１の大きさは、図２で縦と横が約４００〜４５０ｍｍ、厚みが約１ｍｍ前後であるが、特にこれに限定するものでない。
【００５８】
このように、本実施例では、一枚のシートで形成されているため、例えば大判の紙製シートやロール状に巻かれた紙製シート等を単に切断加工するだけで、比較的容易に製作できる。また、多数重ねても厚みが出にくいので、運搬や保管等の取扱いも便利である。
【００５９】
図１及び図２に示すように、表示体１は、表示部材である側板１１と、掛止部材である連結板１２、折返し板１３及び掛止片１４，１５を備えている。そして、連結板１２を間に挟んだ状態で上記側板１１と折返し板１３が向かい合わせにまたは向かい合う方向に配置されるように、連結板１２の幅方向の一端側に第一折目１０１を介して側板１１が折り曲げ可能に連設され、連結板１２の幅方向の他端側に第二折目１０２を介して折返し板１３が折り曲げ可能に連設されている。
【００６０】
なお、側板１１に対し、折返し板１３は平行または本質的に平行でも、所要の角度で傾斜していても良い。
【００６１】
側板１１は、例えば図３に示すような「テナント募集」等の表示を施すことができる方形状（本実施例では長方形）の表示部である表示面１１０を備えている。側板１１は連結板１２や折返し板１３よりも面積が広く、本実施例では図２で縦方向の幅が約３８０〜４２０ｍｍであるが、特にこの大きさに限定されない。
【００６２】
表示面１１０には文字や絵等の表示を油性ペンで直接書き入れたり、また表示体の製造時等に予め印刷しておいたり、あるいは表示を施したシールを使用時に貼り付けたり等することができる。
【００６３】
図２に示すように、側板１１には、谷折り線で形成された第一折目１０１を介して細長い板状の連結板１２が連設されている。本実施例では、後述する掛止片１４，１５を除いた連結板１２の幅（図２で幅をＸで示す）は、約４〜６ｍｍ程度であるが特にこの大きさに限定されない。図５に示すように、連結板１２の幅Ｘは、表示体１を差し入れる隙間、つまり、シャッター隙間Ｓ（図５でその幅をＹで示す）よりも広く形成されている。
【００６４】
そして、連結板１２は、材料である厚紙やプラスチックシートが有する自己の形状保持力または自己の弾性力によって、側板１１とのなす角θ（図５参照）が大きくなる方向に拡がるように形成されている。
【００６５】
図２に示すように、連結板１２には、谷折り線で形成された第二折目１０２を介して連結板１２よりも幅広の折返し板１３が連設されている。本実施例では、掛止片１４，１５を除いた折返し板１３の最大幅は、約１０〜３０ｍｍ程度である。更に、連結板１２には、図２に示すように、第二折目１０２から折返し板１３にかけて形成された逆Ｕ字状または凸状の切込部１０４，１０５によって、突状の掛止片１４，１５が形成されている。掛止片１４，１５は、先端部に向かってやや斜めにすぼまるようにして形成されており、所要の間隔をおいて所要数（本実施の形態では二箇所）設けてある。
【００６６】
これにより、図１に示すように、側板１１に対して連結板１２と折返し板１３を第一折目１０１及び第二折目１０２にて折り曲げると、差し入れ側である連結板１２側が鉤形または略「コ」状に形成される。そして、掛止片１４，１５は、連結板１２に対する折返し板１３の折り曲げ角度α（図５参照）に関係なく、連結板１２と本質的に面一の状態で連結板１２から第二折目１０２の前方へ突出している。
【００６７】
以上のような構成により、図１に示す表示体１をシャッター装置２に取り付けると、図４に示すように、側板１１がシャッターカーテン２００の正面側に位置し、折返し板１３が収容ボックス２１０の出し入れ口２３付近に設けてある屋外側のフレーム部材２５側に位置する。また、図４及び図５では、奥側の引掛部１５は隠れて表れていない。
【００６８】
なお、本実施例では、表示体１を一枚のシート状または薄板状の材料で形成しているが、各構成部分である側板１１、連結板１２、折返し板１３及び掛止片１４，１５をそれぞれ独立したシート状または薄板状の材料で形成し、それらを連設して一枚の表示体を形成することもできる。また、側板１１、連結板１２及び折返し板１３を一枚のシート状または薄板状の材料で形成し、それに別のシート状または薄板状の材料で形成した掛止片１４，１５を接着剤やステープル、あるいはビニルテープ等の粘着テープ等による固着手段に取り付けても良い。
【００６９】
また本実施例では、図５に示すように、掛止片１４，１５が連結板１２と本質的に面一のになるように突出して形成されている。ただし、これに限定するものではなく、連結板１２から前方に向かってやや上り傾斜または下り傾斜していても良い。つまり、連結板１２に対する折返し板１３の折り曲げ角度αに関係なく、連結板１２と所要の角度を保った状態で連結板１２から第二折目１０２の前方へ突出していれば、特に連結板１２と面一になっていなくても良い。
【００７０】
更に、図２に示すように、掛止片１４，１５は、予め設けられた切込部１０４，１０５によって切り起こし自在に形成されているが、特にこれに限定するものではない。例えば掛止片１４，１５の外縁部に相当する位置に、断続する切断線等からなる切断予定線を形成しておき、実際に使用する際にこの切断線を連設させて切込部１０４，１０５を形成しても良い。
【００７１】
（作  用）
［シャッター装置２に対する取り付け］
図６は、シャッター装置に対する表示体の取り付け手順を説明するための図、
図７(ａ)(ｂ)は、連結板と掛止片の作用を説明するための比較説明図、
図８は、シャッター装置に対する表示体の取り外し手順を説明するための図である。
【００７２】
なお、図６ないし図８は、図４と同様、収容ボックス２１０を縦断面して表示体１の取り付け構造を表した側面視説明図である。また、図６及び図７とは相違して、図７では表示体１を断面でなく、側面から見た状態で表している。
【００７３】
以下、シャッター装置２に対する表示体１の取り付け方、取り外し方を順に説明しながら、表示体１の作用を説明する。なお、以下に示す手順は一つの例を示しており、特にこの手順に限定するものではない。
【００７４】
(1) 表示体１の取り付け方
図３に示すように、出入口を閉じたシャッターカーテン２００の屋外側上方に、以下のようにして表示体１を取り付ける。主に図６を参照する。
【００７５】
まず、例えば表示体１を構成する側板１１の基部側を握る。そして、図６(ａ)に示すように、側板１１の先端側をシャッターカーテン２００の正面部に当てた状態で上方にスライドさせ、表示体１の連結板１２側を出し入れ口２３のシャッター隙間Ｓに差し入れていく。
【００７６】
上記したように、連結板１２はシャッター隙間Ｓよりも幅広に形成されているので、表示体１をシャッター隙間Ｓに差し入れていくと、連結板１２上面の先端側に続いて掛止片１４，１５の上面先端側がシャッター隙間Ｓの屋外側の縁部２５１に当たる。なお、図６ないし図８では奥側の引掛部１５は隠れて表れないので、以下、引掛部の符号１５についてはその記載を省略する。
【００７７】
そうすると、表示体１が有する自己の形状保持力または自己の弾性力に抗して、側板１１に対する連結板１２のなす角θが小さくなり、その結果、連結板１２が掛止片１４と共に下方（側板１１の基端側、側板１１に近づくように）に鋭角に折れ曲がる。その後、図６(ｂ)に示すように、連結板１２と掛止片１４，１５がシャッター隙間Ｓを通って上方（シャッター隙間Ｓの奥部）の開口空間へ抜け出る。なお、このときから取り付け完了までの間は、側板１１と折返し板１３は、シャッター隙間Ｓに挟まった状態となっている。
【００７８】
そして、連結板１２が掛止片１４と共にシャッター隙間Ｓの奥へ抜け出ると、シャッター隙間Ｓの縁部２５１による抑えが解除されるので、表示体１が有する自己の形状保持力または自己の弾性力により、側板１１とのなす角θが大きくなる方向（屋外のフレーム部材２５側）に連結板１２が掛止片１４と共に拡がる。
【００７９】
その後、図６(ｃ)に示すように、表示体１を下方（シャッター隙間Ｓの入口側）に少し引っ張る（引き戻す）と、連結板１２から前方へ突出して形成された掛止片１４がフレーム部材２５の被掛止部２５０に引っ掛かる（掛止される）。しかも、図５に示すように、連結板１２の幅Ｘがシャッター隙間Ｓの幅Ｙよりも幅広に形成されているので、連結板１２が突っ張って反転することはなく、その結果、表示体１はシャッター隙間Ｓから抜け落ちることはない。これにより、表示体１の取り付けが完了する。
【００８０】
更に取り付けた後は、側板１１を下方（シャッター隙間Ｓの入口側）に引っ張って表示体１を外そうとしても、被掛止部２５０に対する掛止片１４の掛止が適切に解除されない限り、表示体１はシャッター隙間Ｓから取り外すことはできない。このように、取り付けた後は簡単には外れないので、子供のイタズラ等によって盗難にあう可能性も低い。
【００８１】
この作用について、比較説明図として挙げた図７(ａ)(ｂ)と、図６(ｃ)を部分拡大した図面に相当する図５を参照しながら詳しく説明する。
【００８２】
本実施例とは相違して、仮に図７(ａ)に示すように、連結板１２ａの幅Ｘ１がシャッター隙間Ｓの幅Ｙよりも狭い場合は、側板１１ａを単に下方に引っ張るだけで、連結板１２ａがシャッター隙間Ｓを通り抜けて下方へ移動してしまう。その結果、掛止片１４ａが被掛止部２５０に当たって連結板１２ａと共に反転し（前方に上り傾斜し）、被掛止部２５０に対する掛止片１４の掛止が解除されて、表示体１が容易に外れる。このように、側板１１ａを単に下方に引っ張るだけで表示体１が外れるようでは、子供にイタズラされる可能性があり、好ましくない。
【００８３】
これに対し、本実施例では、図５に示すように連結板１２はシャッター隙間Ｓよりも幅広に形成されているので、上記したように、掛止片１４が被掛止部２５０に掛止した状態では、連結板１２が突っ張ってシャッター隙間Ｓから抜け落ちることはない。このため、表示体１を取り外すためには、まずは図７(ｂ）に示すように、被掛止部２５０に対する掛止片１４の掛止が解除されるように、掛止片１４を先端に向かって上方へ傾斜させた状態にする必要がある。
以下、図８を参照しながら、表示体１の取り外し方について、詳しく説明する。
【００８４】
(2) 表示体１の取り外し方（その１）
取り付け時と同様に、まず、例えば表示体１を構成する側板１１の基部側を握る。そして、図８(ａ)に示す取り付け完了の状態から、シャッター隙間Ｓに挟まった状態の折返し板１３がシャッター隙間Ｓの奥へ抜け出るまで、表示体１を奥へ差し入れる。そうすると、表示体１が有する自己の形状保持力または自己の弾性力によって、図８(ｂ)に示すように、側板１１とのなす角θが大きくなる方向に、連結板１２が掛止片１４及び折返し板１３と共に拡がる。
【００８５】
次に、図８(ｃ)に示すように、側板１１を下方に（シャッター隙間Ｓの入口側に）引っ張れば、折返し板１３の下面側がフレーム部材２５に当たる。そして、更に側板１１を下方に引っ張り続ければ、図８(ｄ)に示すように、折返し板１３が連結板１１及び掛止片１４と共に、先端側に向かって斜め上方に反転し（側板１１とのなす角が拡がる方向に反転し）、その結果、既に説明した図７(ｂ)のごとく、被掛止部２５０に対する掛止片１４，１５の掛止が解除され、表示体１を取り外せるようになる。
【００８６】
このように、表示体１を取り外す際は、側板１１を単に引っ張るのではなく、一旦、折返し板１３を隙間Ｓの奥に差し入れて被掛止部２５０に対する掛止片１４，１５による掛止を解除した後で、改めて側板１１を引っ張れば良い。このような適切な取り外し手順をとれば、表示体１を傷めることなく、容易に且つ確実にシャッター装置２から表示体１を取り外すことができる。
【００８７】
(3) 表示体１の取り外し方（その２）
図９は、表示体をシャッター装置から取り外す際に使用する取り外し具を示す斜視説明図、
図１０は、図９に示す取り外し具を使用して表示体を取り外している状態を示す説明図で、図８(ｂ)に対応するものである。
【００８８】
通常、表示体１（図１参照）は、引掛部１３，１４等が破損しない限り、繰り返し使用できるものである。しかしながら、表示体１を繰り返して使用することで、連結板１２側の自己の形状保持力または自己の弾性力が弱まって、側板１１とのなす角θが大きくなる方向に連結板１２が拡がらなくなる場合もある。
【００８９】
このような場合は、図８(ｂ)に示すように、単に表示体１を奥へ差し入れただけでは、連結板１２が折返し板１３と共に拡がらないので、図９に示すような取り外し具３が好適に使用できる。
【００９０】
取り外し具３は、厚紙等の紙製材料で形成された細長い板状の差し入れ部３１と、差し入れ部３１の先端側表面に取り付けられた柔軟性、可撓性または変形性を有するプラスチック製の押圧体３２を備えている。押圧体３２の所要位置である取り外し具３の先部側には、押圧体３２を折り返すことができるように谷折り線で形成された折目３２１が設けられている。なお、差し入れ部３１と押圧体３２を同じ材料で一体的に形成することもできる。
【００９１】
上記したように、表示体１を収容ボックス２１０の奥へ差し入れても連結板１２が拡がらない場合は、図１０に示すように、表示体１の側板１１とフレーム部材２５の間のシャッター隙間Ｓから取り外し具３を一緒に差し入れる。そして、取り外し具３を側板１１と折返し板１３の連設部分である第一折目１０１に向けて突っ込むことにより、押圧体３２で折返し板１３の裏面を押し広げることができる。このようにすれば、折返し板１３の下面がフレーム部材２５の上面に当たり、掛止片１４が支障なく解除できるようになる。
【００９２】
(4) 表示体１の取り外し方（その３）
図１１は、図９に示す取り外し具３を使用して図１０とは別の方法で表示体１を取り外している状態を示す説明図であり、図５に対応するものである。
【００９３】
図９に示すような取り外し具３を使用すれば、図８で示した取り外し手順（一旦、表示体１を収容ボックス２１０の奥へ差し入れる手順）をとらなくても、表示体１を取り外すことができる。
【００９４】
即ち、図１１を参照して詳しく説明すると、掛止片１４がフレーム部材２５に掛止された状態で、図９に示す取り外し具３を差し入れ、フレーム部材２５の被掛止部２５０に対する掛止片１４の掛止を解除する。
【００９５】
具体的には、図９に示す取り外し具３を図１０とは逆に裏返して使用する。そして、図１１に示すように、押圧体３２が連結板１２の位置まで達するように、折返し板１３と出し入れ口２３の屋外側の縁部２５１の間から取り外し具３を差し入れる。
【００９６】
そして、取り外し具３を掛止片１４側に向けて横にスライドさせると、押圧体３２が掛止片１４の側縁部に接触しながら、側板１１に対する連結板１２のなす角が小さくなるように、折返し板１３を側板１１側へ押す。これにより、次第に押圧体３２が掛止片１４の先端部と被掛止部２５０の間に割り込んで入っていき、それによってフレーム部材２５に対する掛止片１４の掛止が解除される。このように、取り外し具３を使用すれば、図８に示すような取り外し手順をとらなくても、表示体１を取り外すことができる。
【００９７】
なお、このようにして取り外す場合は、掛止片１４の側縁部から先端部にかけて取り外し具３の押圧体３２が移動しやすいように、図１に示す表示体１の掛止片１４，１５は、先部両側の角部が角張らずに、円弧状に丸く形成されていることが好ましい。
【００９８】
また表示体１を繰り返し使用せず、使い捨てするような場合は、図５に示す掛止状態から単に側板１１を引っ張って表示体１を取り外せるように、掛止片１４，１５の基部側に第一折目１０１と連続するような切り取り線等の切断予定線を設けることもできる。
【００９９】
［他の閉鎖装置に対する取り付け］
図１２は、横引きのドアを備えた閉鎖装置に図１に示す表示体を取り付けた状態を示す正面視説明図、
図１３(ａ)(ｂ)は、図１２のII−II部分に対応する断面を示す概略説明図であり、ドア本体の中間部分を一部省略して表している。
【０１００】
図１２に示すように、例えば横引きのドア４１，４１ａを備えた閉鎖装置４にも、図１に示した表示体１を取り付けることができる。
【０１０１】
まず、閉鎖装置４の概略について説明する。
図１２に示すように、閉鎖装置４は、横引式の開閉体である左右一対のドア４１，４１ａを備えている。ドア４１，４１ａは、左右両側にそれぞれスライドして、倉庫等の建物の出入口を開閉する。閉鎖装置４では、ドア４１，４１ａを手動で開閉させることもできるし、電動で自動開閉させることもできる。なお、特に図示した二連式の閉鎖装置４に限定されず、三連式や四連式、あるいは一枚のドアで出入口を開閉する閉鎖装置にも、表示体１の取り付けはできる。
【０１０２】
図１３(ａ)に示すように、ドア本体４１０の上部側と下部側の所要の位置には、所要数のガイドローラ４２，４３がそれぞれ取り付けてある。上部側のガイドローラ４３は、断面略「コ」状のガイドレール４５内を走行する。ガイドレール４５は、建物の出入口上方の壁面５に後述の吊金具４４等を介して固定されている。下部側のガイドローラ４３は、接地面に設けてある断面略「コ」状のガイドレール４６内を走行する。
【０１０３】
図１３(ａ)で、符号４７は、ガイドローラ４２を取り付ける断面略「コ」状のブラケットを示している。符号４４は、ブラケット４７を壁面５に固定する固定部材である吊金具を示している。ドア４１，４１ａは、ガイドローラ４２によって上から吊下げられているので、手動で開閉する場合でも比較的軽い操作力で開閉できる。
【０１０４】
更に、閉鎖装置４は、吊金具４４、ガイドローラ４２及びドア本体４１０の上部側等が露出しないように、壁面５側からそれらを覆うことができるカバー状の収容部材である収容ケース４００を備えている。収容ケース４００の下部側には、ドア４１の移動方向に向かって設けられた開口部４８１を備えている。ドア４１，４１ａの開閉時には、この開口部４８１内をドア本体４１０の上部側がスライド移動する。
【０１０５】
そして、この開口部４８１とドア本体４１０の間に形成された所要の隙間Ｓ２に、図１に示す表示体１を差し入れて取り付けることができる。図１３(ａ)では、表示体１の掛止片１４，１５がドア本体４１０の上面部に引っ掛かるように側板１１を屋外側に向けて取り付けている。
【０１０６】
また、他の取り付けを示す図１３(ｂ)では、反対に収容ケース４００の先部に鉤形に形成された被掛止部４８１に表示体１の掛止片１４が引っ掛かるように、掛止片１４を屋外側に向けて取り付けている。この表示体１の取り付け方、取り外し方は上記したシャッター装置２（図３参照）の場合と同じか大体同じであるので、説明を省略する。
【０１０７】
なお、図１３(ｂ)に示すように、表示体１を収容ケース４００に引っ掛けて取り付けた場合は、一旦ドア４１，４１ａを横に移動した後、改めて収容ケース４００から表示体１を取り外すような手順を採用しても良い。
【実施例２】
【０１０８】
図１４及び図１５は、本発明に係る表示体の第二の実施例を示す説明図である。
図１４は、表示体の斜視説明図である。
図１５は、表示体を展開した状態を示す平面視説明図である。
【０１０９】
なお、実施例１と同一または同等箇所には同一の符号を付して示している。また、実施例１で説明した箇所については、説明を省略し、主に相異点を説明する。
【０１１０】
本実施例に係る表示体１Ａでは、実施例１（図１参照）の表示体１と相違して、折返し板１３ａの形状が折返し板１３と異なると共に、側板１１の所要の位置に折返し板１３ａを押圧する押圧片１６が設けてある。押圧片１６は、図１４で連結板１２と側板１１とのなす角θが大きくなる方向に拡がるように、折返し板１３を内方から押圧する付勢手段を構成している。
【０１１１】
押圧片１６は、紙製材料（厚紙等）やプラスチック製材料でシート状または薄板状に形成され、可撓性を有している。展開状態の図１５に示すように、押圧片１６は平面視略長方形状であり、先端側の左右両側が所要角度で傾斜して山形状に形成されている。
【０１１２】
押圧片１６の基部側は、接着やステープル等による固着手段によって、側板１１の先部中央付近（側板１１の表示面の上部側）に取り付けてある。押圧片１６は、先部側が側板１１から折返し板１３ａの中央先端側に向くように取り付けてある。
【０１１３】
一方、折返し板１３ａの先端中央部分は、押圧片１６の先端側の形状に合わせて山形状に形成された突状片１３１を構成している。突状片１３１の両側は、突状片１３１を頂部として全体が山形状に形成されている。
【０１１４】
以上のような構成により、図１４に示すように、側板１１に対して連結板１２と折返し板１３ａを折り曲げると、折り曲げによって撓んだ押圧片１６の先部側が側板１１の内面側を外方へ押圧する。これにより、連結板１２は、側板１１とのなす角θが大きくなる方向に拡がるように常に付勢される。
【０１１５】
そして、表示体１Ａの繰り返しの使用等により、例えば連結板１２側の自己の形状保持力または自己の弾性力が弱まったとしても、押圧片１６による押圧によって、側板１１とのなす角θが大きくなる方向に連結板１２を付勢する。よって、図８(ｂ)に示すように、表示体１Ａの取り外し時に連結板１２が適切に拡がり、その結果、折返し板１３ａがフレーム部材２５に必ず当たるようになって、掛止片１４の解除が確実にできるようになる。
【実施例３】
【０１１６】
図１６及び図１７は、本発明に係る表示体の第三の実施例を示す説明図である。
図１６は、表示体の斜視説明図である。
図１７は、表示体を展開した状態を示す平面視説明図である。
【０１１７】
なお、実施例２と同一または同等箇所には同一の符号を付して示している。また、実施例１で説明した箇所については、説明を省略し、主に相異点を説明する。  
【０１１８】
本実施例に係る表示体１Ｂでは、実施例２（図１５参照）と相違して、折返し板１３を押圧する押圧片１６ｂが側板１１を構成するシート状または薄板状の材料の一部で形成されている。即ち、展開状態である図１７に示すように、側板１１の先部側中央または中央付近に略「コ」状または逆Ｕ字状の切込部１６１によって押圧片１６ｂが形成されている。
【０１１９】
押圧片１６ｂは、基端部の折目１６２で折り曲げて表示面１１０から引き起こされる。この押圧片１６ｂにより、実施例２と同様、図１６で連結板１２と側板１１とのなす角θが大きくなる方向に拡がるように、折返し板１３を押圧する付勢手段が構成される。このように、側板１１を構成するシート状または薄板状の材料に単に切込みを入れるだけで、押圧片１６ｂを形成できるので、比較的容易に表示体１Ｂを製作できる。
【０１２０】
なお、本実施例では、図１７に示すように、押圧片１６ｂの折目１６２を連結板１２から離れた下方に設けているが、それとは上下反対に折目１６２を連結板１２寄りに設け、押圧片１６ｂを図１７で下から上へ引き起こせるように形成しても良い。
【０１２１】
また、押圧片１６の外縁部に相当する位置に、切込部ではなく、断続する切断線からなる切断予定線（図示省略）を設けることもできる。この場合は、押圧片１６に相当する部分を指で押すことにより、断続する切断線を連接させて押圧片１６を形成する。
その他の作用及び効果は、実施例２と大体において同じであるため、説明を省略する。
【実施例４】
【０１２２】
図１８及び図１９は、本発明に係る表示体の第四の実施例を示す説明図である。
図１８は、表示体の斜視説明図、
図１９は、図１８に示す表示体をシャッター装置から取り外している状態を示す側面視断面説明図であり、表示体をシャッター装置から取り外している図８(ｂ)に対応するものである。
図２０は、表示体の他の形態を示す斜視説明図である。
【０１２３】
なお、実施例１と同一または同等箇所には同一の符号を付して示している。また、実施例１で説明した箇所については、説明を省略し、主に相異点を説明する。これについては、後述する実施例についても同じである。
【０１２４】
図１８に示す本実施例に係る表示体１Ｃでは、実施例１（図１参照）と相違して、折返し板１３の先部側中央または中央付近に、掛止片１４，１５が突出している側に突出した（掛止片１４，１５と本質的に同じ方向に延びた）突出板１７が設けてある。
【０１２５】
突出板１７は、左右両側が所要角度で傾斜した山形状に形成されているが、特にこの形状に限定するものではない。突出板１７は、谷折り線で構成された第三折目１７１にて折返し板１３から所要の傾斜角度で前方上方へ「く」の字に曲げられている。また、図２０に示す表示体１Ｄのように、細長い突出板１７ｄを折返し板１３ａの先端部全長にわたって設けることもできる。
【０１２６】
このような構成により、図１９に示すように、表示体１Ｃの取り外し時に、折返し板１３から前方に突出した突出板１７が確実にフレーム部材２５に当たる。これにより、表示体１Ｃの繰り返しの使用等によって、連結板１２側の自己の形状保持力または自己の弾性力が弱まって、側板１１とのなす角θが大きくなる方向に連結板１２が拡がらなくなった場合でも、掛止片１４の解除を確実に行うことができる。
【実施例５】
【０１２７】
図２１は、本発明に係る表示体装着具の一実施例を示す斜視説明図、
図２２は、図２１に示す表示体装着具を使用して表示体である垂れ幕をシャッター装置に取り付けている状態を示す使用状態説明図、
図２３は、表示体装着具の他の形態を示す斜視説明図である。
【０１２８】
図２１に示すように、表示体装着具１Ｅは、実施例１の表示体１（図１参照）と同様に、表示体取付部材である側板１１ｅ、連結板１２及び折返し板１３をそれぞれ備えている。ただし、側板１１ｅの幅（図２１で上下方向の長さ）が実施例１と比べて短い。なお、図示の連結板１２、折返し板１３及び掛止片１４，１５は掛止部材を構成する。
【０１２９】
図２２に示すように、この側板１１ｅには、表示体である例えば垂れ幕６を接着やステープル等による固着手段によって取り付けることができる。図２２では、垂れ幕６，６を左右に並べて取り付けた場合を図示している。
【０１３０】
シャッター装置２に対する表示体装着具１Ｅの取り付け方、取り外し方は、実施例１と同じか大体同じであるので、説明を省略する。
【０１３１】
また表示体装着具１Ｅに取り付ける表示体の種類や大きさは、上記した垂れ幕６に限定するものではない。例えば表示体装着具１Ｅと同程度の幅のパネル体を取り付ければ、全体で実施例１のような表示体１を形成することもできるし、より幅が広く面積の大きなパネル体を取り付けることもできる。
【０１３２】
更には、シャッター装置２を華やかに装飾するために、風に吹かれると揺れるようなリボン状の飾りや、花を模した飾り等を表示体として表示体装着具１Ｅに取り付けることもできる。
【０１３３】
このように、表示体装着具１Ｅ（表示体取付具ということもできる）を使用すれば、様々な種類の表示体を装着対象物に自由に取り付けることができる。なお、図２１に示す表示体装着具１Ｅが図１２に示す横引きの閉鎖装置４に取り付け可能であることは、言うまでもない。
【０１３４】
また、図２１に示す表示体装着具１Ｅに取り付ける表示体の位置は必ずしも、側板１１ｅとは限らず、折返し板１３側であって良い。その場合、表示体の巻き込みを防止するために、図８に示したような取り外し方でシャッター装置２から表示体装着具１Ｅを取り外す前に、先に折返し板１３から表示体を取り外しておくことが好ましい。
【０１３５】
更に、図２１では、側板１１ｅを折返し板１３よりも長く形成しているが、表示体装着具１Ｅに取り付ける表示体の大きさ等によっては、折返し板１３よりも側板１１ｅを短く形成しても良い。また、シャッター装置２を構成する収容ボックスの大きさ等によっては、図２３に示すように、表示体装着具１Ｆの折返し板１３ｅを側板１１ｅよりも長く形成することもできる。
【実施例６】
【０１３６】
図２４は、本発明に係る表示体装着具の他の実施例を示す説明図であり、表示体装着具を展開した状態を示している。
なお、実施例２と同一または同等箇所には同一の符号を付して示している。また、実施例２で説明した箇所については、説明を省略し、主に相異点を説明する。
【０１３７】
本実施例に係る表示体装着具１Ｇでは、実施例２（図１５参照）で示した表示体１Ａと同様に、折返し板１３ａを押圧する押圧片１６ｇが幅の狭い側板１１ｇに取り付けてある。なお、図２４では、表示体装着具1Ｅに取り付ける例えばパネル状の表示体７を二点鎖線で示している。この表示体装着具1Ｅの構成及び作用は、実施例２及び実施例５と大体において同じであるため、説明を省略する。
【実施例７】
【０１３８】
図２５は、本発明に係る表示体取付セットを構成する表示体受具の一実施例を示す説明図である。
図２５(ａ)は表示体受具の斜視説明図、図２５(ｂ)は表示体受具の使用状態を示す平面視説明図である。
なお、図２５(ｂ)では、壁や柱等の装着対象９をハッチングを入れて表していると共に、表示体１を一点鎖線で示している。これについては、後述する図２６についても同じである。
【０１３９】
符号８は、表示体１を受けた状態で壁や柱等などの装着対象９に取り付けることができる表示体受具を示している。表示体受具８は、表示体１と共に、表示体取付セット（表示体装着セットということもできる）を構成する。表示体受具８は、装着対象９との間に表示体１を取り付けることができる隙間Ｓ１を形成することができる。
【０１４０】
表示体受具８は、細長い金属板を折り曲げて加工することで形成されている。表示体受具８は、その他の材料、例えばプラスチック製、木製、あるいは紙製の材料で形成することもできる。これについては、後述の実施例８についても同じである。
【０１４１】
表示体受具８は、両端側がそれぞれ鉤型状に曲げられており、これによって両端部分を除く中央側が平面視略「コ」状に出っ張った被掛止部８１を構成している。また、表示体受具８の両端側には、ネジやビス等の締付固定具を取り付ける孔８２，８２が形成されている。
【０１４２】
（作  用）
本実施例に係る表示体受具８は、次のように作用する。
図２５(ｂ)に示すように、表示体受具８の長さ方向が本質的に水平になるように、表示体受具８を締付固定具９１により壁等の装着対象９に固定する。これにより、表示体受具８の被掛止部８１と取り付け面９２との間で、表示体１を差し入れることができる隙間Ｓ１が形成される。
【０１４３】
次にその隙間Ｓ１に表示体１（図１参照）を差し入れ、表示体１の掛止片１４，１５を表示体受具８の被掛止部８１に掛止し、取り付け面９２に沿わせるようにして表示体１を表示体受具８に取り付ける。この取り付け方や取り外し方の詳細は、上記した実施例と同じか大体同じであるため、詳しい説明は省略する。
【０１４４】
なお、自重により表示体受具８から表示体１が外れる恐れがないなら、取り付け面９２に対する表示体受具８の取り付け方向は特に限定するものではなく、その長さ方向が取り付け面９２の上下方向と一致するように取り付けることもできるし、また取り付け面９２に対して斜めに取り付けることもできる。
【０１４５】
このように、表示体受具８を使用すれば、単なる平坦な壁や柱といった表示体１を差し入れる隙間Ｓ１がない所にも、表示体１を取り付けることができる。
【０１４６】
表示体受具８の使用例を具体的に挙げると、例えば理容室や飲食店等といった店の出入口付近の外壁に表示体受具８を取り付ければ、表示体受具８に例えば「休業のお知らせ」や「営業時間」を知らせる表示体１を取り付けることができる。また居酒屋等の店内の内壁に表示体受具８を取り付けることにより、例えば「本日のおすすめメニュー」を知らせる表示体１を取り付けることができる。
【０１４７】
なお、表示体受具８には、上記した実施例２ないし４に係る表示体１や、実施例５または６に係る表示体１取付具を取り付けることできる。これについては、後述する実施例８についても同じである。
【実施例８】
【０１４８】
図２６は、本発明に係る表示体取付セットを構成する表示体受具の他の実施例を示す説明図である。
図２６(ａ)は表示体受具の斜視説明図、図２６(ｂ)は表示体受具の使用状態を示す平面視説明図である。
【０１４９】
なお、実施例７と同一または同等箇所には同一の符号を付して示している。また、実施例１で説明した箇所については、説明を省略し、主に相異点を説明する。
【０１５０】
図２６(ａ)(ｂ)に示す表示体受具８Ａは、図２５に示した表示体受具８と相違して、表示体受具８Ａに取り付けた表示体１が取り付け面９２に対し本質的に水平方向に張り出した状態になるように、表示体受具８Ａを取り付け面９２に取り付けることができる。
【０１５１】
表示体受具８Ａは、細長い金属板をその中央部分で二つに折り曲げ、更に両端側をそれぞれ平面視Ｌ形状に外に向けて折り曲げることで形成されている。これによって、基端部分を除く先部側によって平面視略「コ」状に細長く出っ張った被掛止部８１ａが構成される。また、平面視Ｌ形状に外に向けて折り曲げられた基端部分は、表示体受具８Ａを壁や柱等の装着対象９に取り付けるための取付板８３，８３を構成する。また、各取付板８３には、ネジやビス等の締付固定具を取り付ける孔８２が所要数形成されている。
【０１５２】
そして、被掛止部８１ａを構成する並設した二枚の板体８１１，８１２の間に、表示体１を差し入れることができる隙間Ｓ２が形成される。二枚の板体８１１，８１２の基端側の間には、金属板の間隔を保つために金属製の板体である補強部８１３が溶接されている。
【０１５３】
なお、補強板８１３と各取付板８３，８３を折り曲げた一枚の金属板で形成し、これに平面視略「コ」状の細長い被掛止部８１ａの基端部を溶接して、表示体受具８Ａ全体を形成することもできる。
【０１５４】
（作  用）
本実施例に係る表示体受具８Ａは、次のように作用する。
図２６(ｂ)に示すように、表示体受具８Ａの被掛止部８１ａが取り付け面９２から突出するように、表示体受具８Ａの基端部を締付固定具９１により壁や柱等の装着対象９に固定する。
【０１５５】
次に表示体受具８Ａの隙間Ｓ１に表示体１（図１参照）を差し入れ、表示体１の掛止片１４，１５を表示体受具８Ａの被掛止部８１ａ（板体８１１，８１２のいずれか一方）に掛止し、取り付け面９２に対し本質的に垂直に張り出した状態になるように、表示体１を表示体受具８Ａに取り付ける。この取り付け方や取り外し方については、上記した実施例と同じか大体同じであるため、詳細な説明を省略する。
【０１５６】
表示体受具８Ａの使用例に挙げると、例えば多数の会議ホールを備えた公共施設において各会議ホールの出入口の上方に表示体受具８Ａを取り付ければ、各会議ホールで本日行われているイベントや会議の内容等を知らせる表示体１を取り付けることができる。また、例えば大学などで行われる学会等で、各教室の出入口上方に表示体受具８Ａを取り付けて、教室を案内する表示体を取り付けるようにしても良い。
その他の作用及び効果は、実施例７と大体において同じであるため、説明を省略する。      
【０１５７】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１５８】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１５９】
【図１】第一の実施例に係る表示体の斜視説明図。
【図２】図１に示す表示体を展開した状態を示す平面視説明図。
【図３】図１に示す表示体をシャッター装置に取り付けた状態を示す正面視説明図。
【図４】シャッター装置を構成する収容ボックスを縦断面して、シャッター装置に対する表示体の取り付け状態を示した側面視拡大説明図。
【図５】シャッター装置と表示体の取り付け構造を説明するための図４の部分拡大説明図。
【図６】シャッター装置に対する表示体の取り付け手順を説明するための図。
【図７】連結板と掛止片の作用を説明するための比較説明図。
【図８】シャッター装置に対する表示体の取り外し手順を説明するための図。
【図９】表示体をシャッター装置から取り外す際に使用する取り外し具を示す斜視説明図。
【図１０】図９に示す取り外し具を使用して表示体を取り外している状態を示す説明図で、図８(ｂ)に対応するものである。
【図１１】図９に示す取り外し具３を使用して図１０とは別の方法で表示体１を取り外している状態を示す説明図であり、図５に対応するものである。
【図１２】横引きのドアを備えた閉鎖装置に図１に示す表示体を取り付けた状態を示す正面視説明図。
【図１３】図１２のII−II部分に対応する断面を示す概略説明図。
【図１４】第二の実施例に係る表示体の斜視説明図。
【図１５】図１４に示す表示体を展開した状態を示す平面視説明図。
【図１６】第三の実施例に係る表示体の斜視説明図。
【図１７】図１６に示す表示体を展開した状態を示す平面視説明図。
【図１８】第四の実施例に係る表示体の斜視説明図。
【図１９】図１８に示す表示体をシャッター装置から取り外している状態を示す側面視断面説明図。
【図２０】表示体の他の形態を示す斜視説明図。
【図２１】本発明に係る表示体装着具の一実施例を示す斜視説明図。
【図２２】図２１に示す表示体装着具を使用して表示体である垂れ幕をシャッター装置に取り付けている状態を示す使用状態説明図。
【図２３】表示体装着具の他の形態を示す斜視説明図。
【図２４】本発明に係る表示体装着具の他の実施例を示す説明図。
【図２５】本発明に係る表示体取付セットを構成する表示体受具の一実施例を示す説明図。
【図２６】本発明に係る表示体取付セットを構成する表示体受具の他の実施例を示す説明図。
【符号の説明】
【０１６０】
１、１Ａ〜１Ｄ 表示体
1Ｅ〜１Ｇ 表示体装着具
２ シャッター装置
３ 取り外し具
４ 閉鎖装置
５ 壁面
６ 垂れ幕
７ 表示体
８，８Ａ 表示体受具
９ 装着対象
１１，１１ａ，１１ｅ，１１ｇ 側板
１２，１２ａ 連結板
１３，１３ａ，１３ｅ 折返し板
１４，１４ａ 掛止片
１５ 引掛部
１６，１６ｂ，１６ｇ 押圧片
１７，１７ｄ 突出板
２１０ 収容ボックス
２１ ガイドレール
２２ 巻き胴
２３ 出し入れ口
２４，２５ フレーム部材
２９ 側板
３１ 差し入れ部
３２ 押圧体
４１ ドア
４２，４３ ガイドローラ
４４ 吊金具
４５，４６ ガイドレール
４７ ブラケット
８１，８１ａ 被掛止部
８２ 孔
９１ 締付固定具
９２ 取り付け面
１０１ 第一折目
１０２ 第二折目
１０４，１０５ 切込部
１１０ 表示面
１３１ 突状片
１６１ 切込部
１６２ 折目
１７１ 第三折目
２００ シャッターカーテン
２５０ 被掛止部
２５１ 縁部
２５１ 被掛止部
２９１ 取付部材
３２１ 折目
４００ 収容ケース
４１０ ドア本体
４８１ 被掛止部
４８１ 開口部
８１１，８１２ 板体
８１３ 補強部
【図１】
2007101722.tif 000003
【図２】
2007101722.tif 000004
【図３】
2007101722.tif 000005
【図４】
2007101722.tif 000006
【図５】
2007101722.tif 000007
【図６】
2007101722.tif 000008
【図７】
2007101722.tif 000009
【図８】
2007101722.tif 000010
【図９】
2007101722.tif 000011
【図１０】
2007101722.tif 000012
【図１１】
2007101722.tif 000013
【図１２】
2007101722.tif 000014
【図１３】
2007101722.tif 000015
【図１４】
2007101722.tif 000016
【図１５】
2007101722.tif 000017
【図１６】
2007101722.tif 000018
【図１７】
2007101722.tif 000019
【図１８】
2007101722.tif 000020
【図１９】
2007101722.tif 000021
【図２０】
2007101722.tif 000022
【図２１】
2007101722.tif 000023
【図２２】
2007101722.tif 000024
【図２３】
2007101722.tif 000025
【図２４】
2007101722.tif 000026
【図２５】
2007101722.tif 000027
【図２６】
2007101722.tif 000028